【手続補正書】
【提出日】平成25年6月12日(2013.6.12)
【手続補正１】
【補正対象書類名】特許請求の範囲
【補正対象項目名】全文
【補正方法】変更
【補正の内容】
【特許請求の範囲】
【請求項１】
磁界センサであって、
少なくとも２つの磁界検知素子と、
前記少なくとも２つの磁界検知素子に結合されたスイッチング回路であって、前記磁界センサが通常動作モードにあるとき、前記少なくとも２つの磁界検知素子を通常モードの構成へと結合し、前記磁界センサが診断動作モードにあるとき、前記少なくとも２つの磁界検知素子を診断モードの構成へと結合するように構成されたスイッチング回路とを備え、
前記スイッチング回路は、前記通常モードの構成に結合されたとき外部磁界の存在に協働して応答するように前記少なくとも２つの磁界検知素子を並列に結合し、且つ前記診断モードの構成に結合されたとき前記外部磁界に互いに反対に応答するように前記少なくとも２つの磁界検知素子を結合するように構成され、
前記少なくとも２つの磁界検知素子は、
前記通常モードの構成に結合されたとき、外部磁界に応答し且つ診断磁界に実質的に応答しない測定磁界応答信号部分、および
前記診断モードの構成に結合されたとき、前記診断磁界に応答し且つ前記外部磁界に実質的に応答しない診断磁界応答信号部分を含む磁界信号を発生するように構成される、
磁界センサ。
【請求項２】
それぞれが前記少なくとも２つの磁界検知素子に近接した少なくとも２つの診断導体部分を備える診断回路であって、前記少なくとも２つの診断導体部分は、前記診断磁界を発生するための電流を搬送するように構成され、前記診断磁界が、反対方向に向けられたそれぞれの磁界方向を有する少なくとも２つの診断磁界部分を含む診断回路をさらに備える、請求項１に記載の磁界センサ。
【請求項３】
前記少なくとも２つの磁界検知素子は、基板によって支持され、前記少なくとも２つの診断導体部分が、前記基板によって支持されて前記少なくとも２つの磁界検知素子に近接している導体を備える、請求項２に記載の磁界センサ。
【請求項４】
前記少なくとも２つの診断導体部分は、前記基板によって支持された複数の金属層に及ぶ、請求項３に記載の磁界センサ。
【請求項５】
前記少なくとも２つの磁界検知素子は基板によって支持され、前記少なくとも２つの診断導体部分は、前記基板から分離されているが前記基板に近接した導体を備える、請求項３に記載の磁界センサ。
【請求項６】
前記少なくとも２つの磁界検知素子に近接した回路基板であって、前記少なくとも２つの診断導体部分が前記回路基板によって支持された導体を備える回路基板をさらに備える、請求項２に記載の磁界センサ。
【請求項７】
前記少なくとも２つの診断導体部分が、前記回路基板によって支持された複数の金属層に及ぶ、前記回路基板によって支持されたコイルを備える、請求項６に記載の磁界センサ。
【請求項８】
前記少なくとも２つの磁界検知素子が前記通常モードの構成に結合されるとき、前記測定磁界応答信号部分を表す信号を受け取るように結合され、前記少なくとも２つの磁界検知素子が前記診断モードの構成に結合されるとき、前記診断磁界応答信号部分を表す信号を受け取るように結合される処理回路であって、第１の期間を通じて、前記測定磁界応答信号部分を表すセンサ出力信号を生成し、別の第２の期間を通じて、前記診断磁界応答信号部分を表すセンサ出力信号を生成するように構成された処理回路をさらに備える、請求項２に記載の磁界センサ。
【請求項９】
前記診断回路は、
セルフテスト電流パルスが発生する出力ノードを有する定電流源回路であって、前記少なくとも２つの診断導体部分が、前記セルフテスト電流パルスを受け取るように結合されて、磁界パルスを有する前記診断磁界をもたらす定電流源回路をさらに備える、請求項２に記載の磁界センサ。
【請求項１０】
前記少なくとも２つの診断導体部分に近接した電磁シールドをさらに備える請求項２に記載の磁界センサ。
【請求項１１】
前記電磁シールドは、前記電磁シールドが交流磁界にさらされたとき前記電磁シールドの渦電流を低減するように構成された少なくとも１つのフィーチャを備える、請求項１０に記載の磁界センサ。
【請求項１２】
前記外部磁界が、測定される電流の導体によって搬送される電流によって発生する、請求項２に記載の磁界センサ。
【請求項１３】
複数のリードを備え、前記リードの少なくとも２つの結合が前記磁界センサに近接するリードフレームであって、前記測定される電流の導体が、前記リードの少なくとも２つの結合を備えるリードフレームをさらに備える、請求項１２に記載の磁界センサ。
【請求項１４】
前記少なくとも２つの磁界検知素子は、少なくとも２つのホール効果素子を備える、請求項２に記載の磁界センサ。
【請求項１５】
前記少なくとも２つの磁界検知素子は、少なくとも２つの磁気抵抗素子を備える、請求項２に記載の磁界センサ。
【請求項１６】
前記スイッチング回路は、クロック信号に応答してスイッチングして、前記測定磁界応答信号部分または前記診断磁界応答信号部分のうち少なくとも１つの周波数シフトをもたらすように構成される、請求項１に記載の磁界センサ。
【請求項１７】
磁界センサのセルフテストを生成する方法であって、
前記磁界センサが通常動作モードにあるとき、少なくとも２つの磁界検知素子を通常モードの構成に結合するステップと、前記少なくとも２つの磁界検知素子を通常モードの構成に結合するステップは外部磁界の存在に協働して応答するように前記少なくとも２つの磁界検知素子を並列に結合するステップを含み、
前記磁界センサが診断動作モードにあるとき、前記少なくとも２つの磁界検知素子を診断モードの構成に結合するステップとを含み、前記少なくとも２つの磁界検知素子を診断モードの構成に結合するステップは、前記外部磁界に互いに反対に応答するように前記少なくとも２つの磁界検知素子を結合するステップを含み、
前記少なくとも２つの磁界検知素子は、
前記通常モードの構成に結合されたとき、外部磁界に応答し且つ診断磁界に実質的に応答しない測定磁界応答信号部分、および
前記診断モードの構成に結合されたとき、前記診断磁界に応答し且つ前記外部磁界に実質的に応答しない診断応答信号部分を含む磁界信号を発生するように構成される方法。
【請求項１８】
それぞれが前記少なくとも２つの磁界検知素子に近接した少なくとも２つの診断導体部分を備える診断回路内に電流を発生するステップであって、前記少なくとも２つの診断導体部分が、前記診断磁界を発生するための前記電流を搬送するように構成され、前記診断磁界が、反対方向に向けられたそれぞれの磁界方向を有する少なくとも２つの診断磁界部分を含むステップをさらに含む、請求項１７に記載の方法。
【請求項１９】
前記少なくとも２つの結合された磁界検知素子が基板によって支持され、前記少なくとも２つの診断導体部分は、前記基板によって支持されて前記少なくとも２つの磁界検知素子に近接している導体を備える、請求項１８に記載の方法。
【請求項２０】
前記少なくとも２つの診断導体部分は、前記基板によって支持された複数の金属層に及ぶ、前記基板によって支持されたコイルを備える、請求項１９に記載の方法。
【請求項２１】
前記測定磁界応答信号部分を表すセンサ出力信号を発生するステップと、
前記診断磁界応答信号部分を表すセンサ出力信号を発生するステップとをさらに含む、請求項１８に記載の方法。
【請求項２２】
前記少なくとも２つの診断導体部分を電磁シールドするステップをさらに含む、請求項１８に記載の方法。
【請求項２３】
前記電磁シールドが交流磁界にさらされたとき前記電磁シールドの渦電流を低減するように構成された電磁シールドを設けるステップをさらに含む、請求項２２に記載の方法。